(57)【特許請求の範囲】
【請求項１】
高速セッション転送（ＦＳＴ）セットアッププロトコルを利用してセッションを転送する方法であって、
前記高速セッション転送（ＦＳＴ）セットアッププロトコルは、
初期状態において、第１の周波数帯域及び第１のチャネルの少なくとも一方で、直接物理リンクが構築された一対のステーションのうちの少なくとも第１のステーションに格納されている状態情報により記述されているセッションを動作させることと、
第２の周波数帯域及び第２のチャネルの少なくとも一方で前記セッションを動作させる同意を設定することと、
タイムアウトが受信されていない場合、または、ＦＳＴ削除フレームが受信されていない場合に、セットアップ完了状態へと遷移する段階と、
前記セットアップ完了状態において、前記第１の周波数帯域及び前記第１のチャネルの少なくとも一方で通信を行う段階と、
前記第２の周波数帯域及び前記第２のチャネルの少なくとも一方に直接物理リンクを構築することと、
前記第２の周波数帯域及び前記第２のチャネルの少なくとも一方に前記セッションを転送することと
を含み、
前記第１のステーションは、前記一対のステーションうちの第２のステーションとの通信で用いる前記第２の周波数帯域を含む１以上の周波数帯域の中に、前記第２のステーションと一致する周波数帯域を有しており、
前記セッションの前記転送は、前記一対のステーションの前記第１のステーションと前記一対のステーションの前記第２のステーションとの間で前記第１のチャネルから前記第２のチャネルへと行われる、
方法。
【請求項２】
前記ＦＳＴセットアッププロトコルは、
前記初期状態、前記セットアップ完了状態、遷移完了状態、および遷移確認済み状態を含む請求項１に記載の方法。
【請求項３】
ＦＳＴセットアップ要求フレームを送信する段階と、
ＦＳＴセットアップ応答フレームを受信する段階と、
を備える請求項１または２に記載の方法。
【請求項４】
前記ＦＳＴセットアップ要求フレームのリンクロスタイムアウト（ＬＬＴ）フィールドの値がゼロより大きい場合に前記セットアップ完了状態に留まる段階を備え、
前記ＬＬＴフィールドの前記値は３２ビットを含み、前記第１のステーションが前記第２のステーションから最後にデータフレームを受信してから前記第１のステーションが前記ＦＳＴを開始すると決定するまでカウントされる最大期間をマイクロ秒で示す請求項３に記載の方法。
【請求項５】
前記ＦＳＴセットアップ要求フレームの前記ＬＬＴの値がゼロに等しい場合に、前記セットアップ完了状態から遷移完了状態へ遷移する段階と、
前記遷移完了状態において、前記第２の周波数帯域及び前記第２のチャネルの少なくとも一方で通信を行う段階と
を備える請求項４に記載の方法。
【請求項６】
タイムアウトになった場合に前記遷移完了状態から前記初期状態へ遷移する段階と、
前記初期状態において、前記第１の周波数帯域及び前記第１のチャネルの少なくとも一方で通信する段階と
を備える請求項５に記載の方法。
【請求項７】
ＦＳＴ受領確認要求フレームおよびＦＳＴ受領確認応答フレームの交換が完了すると、前記遷移完了状態から遷移確認済み状態へ遷移する段階と、
前記セッションを転送する段階と、
前記遷移確認済み状態において、前記第２の周波数帯域及び前記第２のチャネルの少なくとも一方で通信する段階と
を備える請求項５または６に記載の方法。
【請求項８】
初期状態において、第１の周波数帯域及び第１のチャネルの少なくとも一方で、直接物理リンクが構築された一対のステーションのうちの少なくとも第１のステーションに格納されている状態情報により記述されているセッションを動作させる第１の無線機と、
第２の無線機を利用して第２の周波数帯域及び第２のチャネルの少なくとも一方で前記セッションを動作させる同意を設定して、前記第２の無線機を利用して前記第２の周波数帯域及び前記第２のチャネルの少なくとも一方に直接物理リンクを構築して、高速セッション転送（ＦＳＴ）セットアッププロトコルを利用して前記第２の周波数帯域及び前記第２のチャネルの少なくとも一方に前記セッションを転送する媒体アクセス制御（ＭＡＣ）プロセッサと
を備え、
前記ＦＳＴセットアッププロトコルは、
初期状態において、第１の周波数帯域及び第１のチャネルの少なくとも一方で通信することと、
タイムアウトが受信されていない場合、または、ＦＳＴ削除フレームが受信されていない場合に、セットアップ完了状態へと遷移することと、
前記セットアップ完了状態において、前記第１の周波数帯域及び前記第１のチャネルの少なくとも一方で通信を行うことと、
を含み、
前記第１の無線機および前記第２の無線機は、前記一対のステーションのうちの第２のステーションとの通信で用いる前記第２の周波数帯域を含む１以上の周波数帯域の中に、前記第２のステーションと一致する周波数帯域を有しており、
前記セッションの前記転送は、前記一対のステーションの前記第１のステーションと前記一対のステーションの前記第２のステーションとの間で前記第１のチャネルから前記第２のチャネルへと行われる、
マルチバンドステーション。
【請求項９】
前記ＦＳＴセットアッププロトコルは、前記初期状態、前記セットアップ完了状態、遷移完了状態、および遷移確認済み状態を含む請求項８に記載のマルチバンドステーション。
【請求項１０】
前記ＭＡＣプロセッサは前記マルチバンドステーションを前記ＦＳＴセットアッププロトコルに従って動作させ、
前記ＦＳＴセットアッププロトコルは、
ＦＳＴセットアップ要求フレームを送信することと、
ＦＳＴセットアップ応答フレームを受信することと、
を含む請求項８または９に記載のマルチバンドステーション。
【請求項１１】
前記ＦＳＴセットアッププロトコルは、
前記ＦＳＴセットアップ要求フレームのリンクロスタイムアウト（ＬＬＴ）フィールドの値がゼロより大きい場合に前記セットアップ完了状態に留まることを含み、
前記ＬＬＴフィールドの前記値は３２ビットを含み、前記第１のステーションが前記第２のステーションから最後にデータフレームを受信してから前記第１のステーションが前記ＦＳＴを開始すると決定するまでカウントされる最大期間をマイクロ秒で示す請求項１０に記載のマルチバンドステーション。
【請求項１２】
前記ＦＳＴセットアッププロトコルは、
前記ＦＳＴセットアップ要求フレームの前記ＬＬＴの値がゼロに等しい場合に、前記セットアップ完了状態から遷移完了状態へ遷移することと、
前記遷移完了状態において、前記第２の周波数帯域及び前記第２のチャネルの少なくとも一方で通信を行うことと
を含む請求項１１に記載のマルチバンドステーション。
【請求項１３】
前記ＦＳＴセットアッププロトコルは、
タイムアウトになった場合に前記遷移完了状態から前記初期状態へ遷移することと、
前記初期状態において、前記第１の周波数帯域及び前記第１のチャネルの少なくとも一方で通信することと
を含む請求項１２に記載のマルチバンドステーション。
【請求項１４】
前記ＦＳＴセットアッププロトコルは、
ＦＳＴ受領確認要求フレームおよびＦＳＴ受領確認応答フレームの交換が完了すると、前記遷移完了状態から遷移確認済み状態へ遷移することと
前記セッションを転送することと、
前記遷移確認済み状態において、前記第２の周波数帯域及び前記第２のチャネルの少なくとも一方で通信することと
を含む請求項１２または１３に記載のマルチバンドステーション。
【請求項１５】
無線通信システムであって、
第２のマルチバンドステーションとの間で直接物理リンクが構築された一対のステーションとして通信を行う第１のマルチバンドステーションを備え、
前記第１のマルチバンドステーションは、
少なくとも第１の無線機および第２の無線機と、
媒体アクセス制御（ＭＡＣ）プロセッサと
を有し、
前記第１の無線機は、第１の周波数帯域及び第１のチャネルの少なくとも一方で、前記第１のマルチバンドステーションに格納されている状態情報により記述されているセッションを動作させ、
前記ＭＡＣプロセッサは、前記第２の無線機を利用して第２の周波数帯域及び第２のチャネルの少なくとも一方で前記セッションを動作させる同意を設定して、前記第２の無線機を利用して前記第２の周波数帯域及び前記第２のチャネルの少なくとも一方に直接物理リンクを構築して、高速セッション転送（ＦＳＴ）セットアッププロトコルを利用して前記第２の周波数帯域及び前記第２のチャネルの少なくとも一方に前記セッションを転送し、
前記ＦＳＴセットアッププロトコルは、
初期状態において、前記第１の周波数帯域及び前記第１のチャネルの少なくとも一方で通信することと、
タイムアウトが受信されていない場合、または、ＦＳＴ削除フレームが受信されていない場合に、セットアップ完了状態へと遷移することと、
前記セットアップ完了状態において、前記第１の周波数帯域及び前記第１のチャネルの少なくとも一方で通信を行うことと、
を含み、
前記第１の無線機および前記第２の無線機は、前記一対のステーションのうちの第２のマルチバンドステーションとの通信で用いる前記第２の周波数帯域を含む１以上の周波数帯域の中に、前記第２のマルチバンドステーションと一致する周波数帯域を有しており、
前記セッションの前記転送は、前記一対のステーションの前記第１のマルチバンドステーションと前記第２のマルチバンドステーションとの間で前記第１のチャネルから前記第２のチャネルへと行われる、
無線通信システム。
【請求項１６】
前記ＦＳＴセットアッププロトコルは、前記初期状態、前記セットアップ完了状態、遷移完了状態、および遷移確認済み状態を含む請求項１５に記載の無線通信システム。
【請求項１７】
前記ＭＡＣプロセッサは前記第１のマルチバンドステーションを前記ＦＳＴセットアッププロトコルに従って動作させ、
前記ＦＳＴセットアッププロトコルは、
ＦＳＴセットアップ要求フレームを送信することと、
ＦＳＴセットアップ応答フレームを受信することと、
を含む請求項１５または１６に記載の無線通信システム。
【請求項１８】
前記ＦＳＴセットアッププロトコルは、
前記ＦＳＴセットアップ要求フレームのリンクロスタイムアウト（ＬＬＴ）フィールドの値がゼロより大きい場合に前記セットアップ完了状態に留まることを含み、
前記ＬＬＴフィールドの前記値は３２ビットを含み、前記第１のマルチバンドステーションが前記第２のマルチバンドステーションから最後にデータフレームを受信してから前記第１のマルチバンドステーションが前記ＦＳＴを開始すると決定するまでカウントされる最大期間をマイクロ秒で示す請求項１７に記載の無線通信システム。
【請求項１９】
前記ＦＳＴセットアッププロトコルは、
前記ＦＳＴセットアップ要求フレームの前記ＬＬＴの値がゼロに等しい場合に、前記セットアップ完了状態から遷移完了状態へ遷移することと、
前記遷移完了状態において、前記第２の周波数帯域及び前記第２のチャネルの少なくとも一方で通信を行うことと
を含む請求項１８に記載の無線通信システム。
【請求項２０】
前記ＦＳＴセットアッププロトコルは、
タイムアウトになった場合に前記遷移完了状態から前記初期状態へ遷移することと、
前記初期状態において、前記第１の周波数帯域及び前記第１のチャネルの少なくとも一方で通信することと
を含む請求項１９に記載の無線通信システム。
【請求項２１】
前記ＦＳＴセットアッププロトコルは、
ＦＳＴ受領確認要求フレームおよびＦＳＴ受領確認応答フレームの交換が完了すると、前記遷移完了状態から遷移確認済み状態へ遷移することと
前記セッションを転送することと、
前記遷移確認済み状態において、前記第２の周波数帯域及び前記第２のチャネルの少なくとも一方で通信することと
を含む請求項１９または２０に記載の無線通信システム。
【発明の詳細な説明】
【背景技術】
【０００１】
ノートブックコンピュータ、ネットブック、デスクトップコンピュータ、携帯電話、携帯小型デバイス等の数多くのプラットフォームでは、異なる無線機を利用する無線ローカルエリアネットワーク（ＷＬＡＮ）デバイスおよびパーソナルエリアネットワーク（ＰＡＮ）デバイスが幅広く利用されている。ＷＬＡＮデバイスおよびＰＡＮデバイスには、例えばＢｌｕｅｔｏｏｔｈ（登録商標）（ＢＴ）およびＷｉＦｉトランシーバが含まれる。ＢＴトランシーバとＷｉＦｉトランシーバとは互いに、同じ周波数帯域（例えば２．４ＧＨｚ帯域）、または異なる周波数帯域で動作しうる。例えばＢＴトランシーバが２．４ＧＨｚ帯域で動作して、ＷｉＦｉトランシーバが５ＧＨｚ帯域で動作する、といったことが考えられる。
【０００２】
ＷＬＡＮデバイスおよびＰＡＮデバイスが利用可能な別の周波数帯域に、６０ＧＨｚ周波数帯域がある。ＷｉＦｉに準拠したデバイスは、２．５ＧＨｚ、５ＧＨｚ、および６０ＧＨｚという周波数帯域を利用することができる。多周波数帯域間をトランシーバがスイッチする際には、例えば６０ＧＨｚという１つの周波数帯域から、例えば５ＧＨｚ、２．４ＧＨｚといった他の周波数帯域へのトラフィックストリームのスイッチ、多周波数帯域における効率的な並列処理、などが難しくなる。
【０００３】
本発明とみなす主題は、本明細書の最終部分で特に指摘し、明確に請求する。しかし本発明の動作構成および方法、その目的、特徴、利点は、以下の詳細な記載を添付図面とともに読むことで理解が深まる。
【図面の簡単な説明】
【０００４】
【図１】本発明の例示的な実施形態において無線通信ネットワークのステーションの概略図である。
【図２】本発明の例示的な実施形態において無線通信ネットワークの概略図である。
【図３】本発明の例示的な実施形態における高速セッション転送プロトコルで利用される情報エレメントの概略図である。
【図４】本発明の例示的な実施形態における高速セッション転送プロトコルの状態ダイアグラムの概略である。
【発明を実施するための形態】
【０００５】
記載を簡潔且つ明確にする目的から、図面に示す部材は必ずしも実寸に即して描かれていない。例えば、部材の幾つかを他の部材よりも拡大表示して明確性を期している場合がある。さらに適切と思われる箇所においては、図面間で参照番号を繰り返すことで、対応する、または類似した部材であることを示している。
【０００６】
以下の詳細な記載においては、数多くの特定の詳細を述べて本発明の完全な理解を促している。しかし当業者であれば、本発明がこれら特定の詳細なしに実行可能であることを理解する。また、公知の方法、プロシージャ、コンポーネント、および回路については詳細な記載を省くことで、本発明を曖昧にしないようにしている箇所もある。
【０００７】
以下の詳細な記載の一部は、コンピュータメモリ内のデータビットまたはバイナリデジタル信号に対するアルゴリズムおよび処理の象徴的表現で表されている。これらアルゴリズムによる記載および表現は、データ処理技術分野の当業者が自身の仕事の実質を他の当業者に伝える際に利用する技術の１つである。
【０００８】
そうではないと明記しない限りにおいて、「処理（processing）」「コンピューティング（computing）」「計算（calculating）」「判断／決定（determining）」といった用語を利用する説明は明細書の随所に見られるが、これらは、特にそうではないと明記していない限りにおいて、コンピュータまたはコンピューティングシステム、あるいはこれに類似した電子コンピューティングデバイスの動作および／または処理に係るものであってよく、コンピューティングシステムのレジスタおよび／またはメモリの電子量等の物理量で表されるデータを、コンピューティングシステムのメモリ、レジスタ、または他の同様の情報格納、送信デバイス内の物理量として同様に表される他のデータへと操作および／または変換するもののことであってよい。また、本明細書で利用される単数形の名詞は、１つであっても、２つ以上であってもよい定義としてみなされることを意図している。本明細書で利用される「複数」という用語は、２つ、あるいは、３つ以上として定義される。本明細書で利用される「別の」という用語は、少なくとも２つ目以上の、という意味である。本明細書で利用される「含む（including）」および／または「有する（having）」といった用語は、「備える（comprising）」と定義されるが、これに限定はされない。本明細書で利用される「連結」という用語は、例えばソフトウェアにより、ハードウェアにより、またはその他の手段により、例えば機械的、電子的、デジタル的、直接的、といった任意の所望の形態で、動作可能なように接続されている様を示す。
【０００９】
本明細書で利用される「トラフィック」および／または「トラフィックストリーム」という用語は、ステーション（ＳＴＡ）等の無線デバイス間のデータフローおよび／またはストリームとして定義される。本明細書で利用される「セッション」という用語は、直接物理（ＰＨＹ）リンクが構築されている一対のステーションに維持または格納されている状態情報として定義され、状態情報は、セッションを記述または定義するものであってよい。本明細書で利用される「高速セッション転送」（ＦＳＴ）という用語は、互いに通信するＳＴＡ両方の無線機が、通信を希望する、または通信すると了承した周波数帯域で整合しているとき、チャネルからチャネルへとセッションを転送または移動させることを意味する。
【００１０】
本明細書で利用される「無線デバイス」という用語は、無線通信機能を有するデバイス、無線通信機能を有する通信デバイス、無線通信機能を有する通信ステーション、無線通信機能を有する携帯デバイスまたは固定デバイス等を含む。一部の実施形態では、無線デバイスは、コンピュータに集積される周辺デバイス、コンピュータに取り付けられた周辺デバイスであっても、これらを含んでもよい。一部の実施形態では、「無線デバイス」という用語は、オプションとして無線サービスを含んでもよい。
【００１１】
本発明の実施形態は、第１の周波数帯域から別の周波数帯域への遷移前、遷移中および遷移完了後に、トラフィックストリームを制御することができ、デバイスは、遷移先の別の周波数帯域において、または多周波数帯域においてアクティブである。本発明の一部の実施形態におけるこの解決法により、デバイス同士が例えば両方の周波数帯域で同じ媒体アクセス制御（ＭＡＣ）アドレスを有するようなトランスペアレントモードをカバーすることができ、本発明の他の実施形態では、通信デバイスのうち少なくとも１つが異なる周波数帯域で異なるＭＡＣアドレスを有するような非トランスペアレントモードを提供することができるが、本発明の範囲はこれらの例に限定はされない。
【００１２】
本発明は様々な用途に利用可能である。本発明はこの点に限定はされないが、ここで開示する回路および技術は、無線システムのステーションといった数多くの装置で利用可能である。本発明の範囲に含むことが意図されるステーションは、ほんの数例を挙げると、ＷＬＡＮステーション、ワイヤレスパーソナルネットワーク（ＷＰＡＮ）等である。
【００１３】
本発明の範囲に含まれることが意図される種類のＷＰＡＮステーションには、これらに限定はされないが、周波数ホッピング方式（ＦＨＳＳ）、直接拡散方式（ＤＳＳＳ）、コンプリメンタリ・コード・キーイング（ＣＣＫ）、直交周波数分割多重方式（ＯＦＤＭ）等のスペクトル拡散信号を送受信するモバイルステーション、アクセスポイント、ステーションが含まれる。
【００１４】
一部の実施形態は、ビデオデバイス、オーディオデバイス、オーディオ‐ビデオ（Ａ／Ｖ）デバイス、セットトップボックス（ＳＴＢ）、ブルーレイディスク（ＢＤ）プレーヤ、ＢＤレコーダ、デジタルビデオディスク（ＤＶＤ）プレーヤ、高精細（ＨＤ）ＤＶＤプレーヤ、ＤＶＤレコーダ、ＨＤ  ＤＶＤレコーダ、パーソナルビデオレコーダ（ＰＶＲ）、放送ＨＤレシーバ、ビデオソース、オーディオソース、ビデオシンク、オーディオシンク、ステレオチューナ、放送ラジオレシーバ、ディスプレイ、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオアンプ、データソース、データシンク、デジタルスチルカメラ（ＤＳＣ）、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナル・デジタル・アシスタント（ＰＤＡ）デバイス、ハンドヘルドＰＤＡデバイス、オンボードデバイス、オフボードデバイス、ハイブリッドデバイス、車両用デバイス、非車両用デバイス、モバイルまたはポータブルデバイス、家庭用デバイス、非モバイルまたは非ポータブルデバイス、無線通信ステーション、無線通信デバイス、無線アクセスポイント（ＡＰ）、有線または無線ルータ、有線または無線モデム、有線または無線ネットワーク、ワイヤレスエリアネットワーク、ワイヤレスビデオエリアネットワーク（ＷＶＡＮ）、ローカルエリアネットワーク（ＬＡＮ）、ＷＬＡＮ、ＰＡＮ、ＷＰＡＮ、既存のＷｉｒｅｌｅｓｓＨＤ（登録商標）および／またはワイヤレス・ギガビット・アライアンス（ＷＧＡ）仕様および／または将来のバージョンおよび／または
その派生物に従い動作するデバイスおよび／またはネットワーク、既存のＩＥＥＥ８０２．１１（ＩＥＥＥ８０２．１１-１９９９２００７：ワイヤレスＬＡＮ媒体アクセス制御（ＭＡＣ）および物理層（ＰＨＹ）仕様）規格およびその修正版（「ＩＥＥＥ８０２．１１規格」）、ＩＥＥＥ８０２．１６規格、および／または、その将来のバージョンおよび／またはその派生物等に従い動作するデバイスおよび／またはネットワーク、および／または、上述したネットワークの一部であるユニットおよび／またはデバイス、一方向または双方向通信システム、セルラー方式無線移動電話通信システム、ワイヤレスディスプレイ（ＷｉＤｉ）デバイス、携帯電話、無線電話、パーソナル・コミュニケーション・システム（ＰＣＳ）デバイス、無線通信デバイス、モバイルまたはポータブルグローバルポジショニングシステム（ＧＰＳ）デバイスが組み込まれたＰＤＡデバイス、ＧＰＳレシーバまたはトランシーバまたはチップが組み込まれたデバイス、ＲＦＩＤ素子またはチップが組み込まれたデバイス、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１以上の内部アンテナおよび／または外部アンテナを有するデバイス、デジタルビデオ放送（ＤＶＢ）デバイスまたはシステム、マルチスタンダードの無線デバイスまたはシステム、有線または無線ハンドヘルドデバイス（ＢｌａｃｋＢｅｒｒｙ、Ｐａｌｍ  Ｔｒｅｏ等）、ワイヤレスアプリケーションプロトコル（ＷＡＰ）デバイス等の様々なデバイスおよびシステムと組み合わせて利用することができる。
【００１５】
一部の実施形態は、無線周波数（ＲＦ）、赤外線（ＩＲ）、周波数分割多重（ＦＤＭ）、直交周波数分割多重（ＯＦＤＭ）、時分割多重（ＴＤＭ）、時分割多元接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ）、ＣＤＭＡ２０００、シングルキャリアＣＤＭＡ、マルチキャリアＣＤＭＡ，マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、ウルトラワイドバンド（ＵＷＢ）、モバイル通信用のグローバルシステム（ＧＳＭ）、２Ｇ、２．５Ｇ、３Ｇ、３．５Ｇ、ＧＳＭエボリューション用の拡張データレート（ＥＤＧＥ）等の１以上の種類の無線通信信号および／またはシステムと組み合わせて利用することができる。他の実施形態も様々な他のデバイス、システム、および／またはネットワークで利用可能である。
【００１６】
一部の実施形態は、「ピコネット」（ワイヤレスエリアネットワーク、ＷＶＡＮ、ＷＰＡＮ等）の適切な、範囲の制限された、または短距離用の無線通信ネットワークと組み合わせた利用が可能である。
【００１７】
先ず図１を参照すると、本発明の例示的な実施形態において無線通信ネットワークのステーション（ＳＴＡ）が概略されている。本発明の実施形態においては、ステーション１００は、例えばアクセスポイント、ピコネットコントローラ（ＰＮＣ）、ステーション、開始側機器、応答側機器等の無線通信デバイスであってよい。ステーション１００は、例えばマルチバンドステーションであってよい。
【００１８】
本発明の例示的な実施形態においてステーション１００は、例えば無線機Ａ１１０、無線機Ｂ１２０、無線機Ｃ１３０等の複数の無線機を含んでよい。各無線機Ａ１１０、無線機Ｂ１２０、無線機Ｃ１３０は、２以上のアンテナに動作可能に連結される。例えば無線機Ａ１１０は、アンテナ１６０および１６２に動作可能に連結されており、無線機Ｂ１２０はアンテナ１６４および１６６に動作可能に連結されており、無線機Ｃはアンテナ１６８および１７０に動作可能に連結されている。
【００１９】
無線機Ａ１１０、無線機Ｂ１２０、無線機Ｃ１３０は、無線機Ａ１１０に関して示すものと同様のアーキテクチャを有してよい。各無線機は、ビームフォーミング（ＢＦ）コントローラ、レシーバ（ＲＸ）１１２、およびトランスミッタ（ＴＸ）１１４を少なくとも含んでよいが、本発明の範囲はこの点に限定はされない。
【００２０】
さらに、本発明の一部の実施形態では、各無線機が、適宜、それぞれ異なる周波数帯域で動作することができる。例えば、無線機Ａ１１０は６０ＧＨｚ周波数帯域で動作してよく、無線機Ｂ１２０は５ＧＨｚ周波数帯域で動作してよく、無線機Ｃ１３０は２．４ＧＨｚ周波数帯域で動作してよいが、本発明の実施形態がこの例に限定されると理解されるべきではない。
【００２１】
ステーション１００はさらに、ＭＡＣプロセッサ１４０およびメモリ１５０を含んでよい。ＭＡＣブロック１４０は、ＩＥＥＥ８０２．１１ＴＡＧａｄおよび／またはＩＥＥＥ８０２．１５．３ｃおよび／またはＷｉｒｅｌｅｓｓＨＤ（登録商標）および／またはＥＣＭＡ−３８７および／またはＩＳＯ／ＩＥＣ１３１５６：２００９および／またはＢｌｕｅｔｏｏｔｈ（登録商標）および／またはＷＧＡ仕様に従ってＭＡＣプロトコルを動作させることができる。
【００２２】
さらに、ＭＡＣプロセッサ１４０は、状態遷移タイマ（ＳＴＴ）１４５およびリンクロスカウントダウンタイマ（ＬＬＣＴ）１４７を含んでよい。ＳＴＴ１４５は、適宜、高速セッション転送（ＦＳＴ）を制御または実行することができる。例えば、各マルチバンドＳＴＡは各ＦＳＴセッション用にＳＴＴを維持することができる。マルチバンドステーションは、ＳＴＴ１４５が１からゼロに移動または遷移するときに、ＦＳＴの初期状態４１０（図４参照）へ移動または遷移することができる。ＬＬＣＴ１４７は、ＦＳＴプロトコルのある状態から別の状態への遷移を制御することができる。メモリ１５０は、状態情報１５１を含んでよく、状態情報１５１は別の格納ユニットに格納されていてよい。
【００２３】
メモリ１５０は、揮発性メモリ、不揮発性メモリ、取り外し可能または取り外し不可能メモリ、消去可能または消去不可能メモリ、書き込み可能または書き換え可能メモ等を含んでよい。例えばメモリ１５０は、１以上のランダムアクセスメモリ（ＲＡＭ）、動的ＲＡＭ（ＤＲＡＭ）、ダブルデータレートＤＲＡＭ（ＤＤＲ−ＤＲＡＭ）、同期ＤＲＡＭ（ＳＤＲＡＭ）、静的ＲＡＭ（ＳＲＡＭ）、読み出し専用メモリ（ＲＯＭ）、プログラマブルＲＯＭ（ＰＲＯＭ）、消去可能ＲＯＭ（ＥＰＲＯＭ）、電気消去可能ＲＯＭ（ＥＥＰＲＯＭ）、ＣＤ−ＲＯＭ、書き込み可能ＣＤ（ＣＤ−Ｒ）、書き換え可能ＣＤ（ＣＤ−ＲＷ）、フラッシュメモリ（ＮＯＲまたはＮＡＮＤフラッシュメモリ）、コンテント・アドレッサブル・メモリ（ＣＡＭ）、ポリマーメモリ、相変化メモリ、強誘電メモリ、シリコン−酸化物−窒化物−酸化物−シリコン（ＳＯＮＯＳ）メモリ、ディスク、フロッピー（登録商標）ディスク、ハードドライブ、光学ディスク、磁気ディスク、カード、磁気カード、光学カード、テープ、カセット等を含んでよい。
【００２４】
一部の例示的な実施形態では、アンテナ１６０、１６２、１６４、１６６、１６８、および１７０は、例えば、フェーズドアレイアンテナ、内部および／または外部ＲＦアンテナ、ダイポールアンテナ、モノポールアンテナ、全方位アンテナ、エンドフェッドアンテナ、円偏光アンテナ、マイクロストリップアンテナ、ダイバーシティアンテナ、その他、無線通信信号、ブロック、フレーム、送信ストリーム、パケット、メッセージ、および／または、データの送信および／または受信に適した任意の種類のアンテナを含んでよいが、本発明の範囲はこれらの例に限定はされない。
【００２５】
本発明の一部の例示的な実施形態では、ＢＦコントローラ１１６は、適宜、多入力多出力（ＭＩＭＯ）コントローラおよび／またはビームフォーマプロセッサを含んでよい。
【００２６】
本発明の一実施形態では、ステーション１００は、ある周波数帯域から別の周波数帯域へ、および、あるチャネルから別のチャネルへと、複数の無線機（無線機Ａ１１０、無線機Ｂ１２０、および／または、無線機Ｃ１３０）を利用して、セッションを移動させたり転送したりすることができてよいが、本発明の実施形態はこの点に限定はされないことを理解されたい。
【００２７】
例えばマルチバンドＳＴＡ１００は、第１の周波数帯域（例えば、無線機Ａ１１０による６０ＧＨｚ）および／または第１のチャネルでセッションを動作させることができ、ここでセッションは、直接物理リンクが構築されている一対のステーションに維持または格納されている状態情報であっても、これにより記述されていてもよい。マルチバンドＳＴＡ１００は、必要に応じて、他のマルチバンドＳＴＡとの間で、第２の周波数帯域（例えば無線機Ｂ１２０による２．４ＧＨｚ）および／または第２のチャネルでセッションを動作させるための同意を設定または構築してよく、第２の周波数帯域および／または第２のチャネルに直接物理リンクを構築してよい。マルチバンドＳＴＡ１１０は、例えば図４を参照して後述する高速セッション転送（ＦＳＴ）プロトコルを利用することで、セッションを第２の周波数帯域および／または第２のチャネルに転送または移動することができる。
【００２８】
図２は、本発明の例示的な実施形態において無線通信ネットワーク２００の概略図である。例えば無線通信ネットワーク２００は、ＩＥＥＥ８０２  ８０２．１１タスクグループａｄ（ＴＧａｄ）により開発された規格に従って、および／または、ＷＧＡ仕様に従って、および／または、ＩＥＥＥ８０２．１５．３ｃ規格に従って、および／または、ＷｉｒｅｌｅｓｓＨＤ（登録商標）仕様および／またはＥＣＭＡ−３８７規格等に従って動作することができる。
【００２９】
本発明の範囲はこれに限定はされないが、無線通信ネットワーク２００は、ステーションＡ２１０およびステーションＢ２４０を含んでよい。ステーションＡは、無線機Ａ２２０および無線機Ｂ２３０を含んでよく、ステーションＢは、無線機Ａ２５０および無線機Ｂ２６０を含んでよい。ここではステーション（ＳＴＡ）  Ａ２１０を開始側機器と称し、ＳＴＡ  Ｂ２４０を応答側機器と称する場合があるが、本発明の範囲はこの点に限定はされない。他の無線機または異なる数の無線機を含むこともできる。
【００３０】
本発明の一実施形態においては、ＳＴＡ  Ａ２１０およびＳＴＡ  Ｂ２４０アーキテクチャおよびコンポーネントは、必要に応じて図１のＳＴＡ１００のアーキテクチャおよびコンポーネントと類似したものであってよいが、他のアーキテクチャを利用することもできる。
【００３１】
動作においては、ＳＴＡ  Ａ２１０は、第１の周波数帯域（例えば、無線機Ａ１１０による６０ＧＨｚ）および／または第１のチャネルでセッション２７０を動作させることができ、セッション２７０は、本発明の実施形態では、直接物理リンクが構築されている一対のステーションに維持または格納されている状態情報である。ＳＴＡ  Ａ２１０（一例では開始側機器である）は、ＳＴＡ  Ｂ２４０（一例では応答側機器である）との間で、第２の周波数帯域（例えば無線機Ｂ１２０による２．４ＧＨｚ）および／または第２のチャネルでセッションを動作させ、または、実行させるための同意を設定または構築することができる。ＳＴＡ  Ａ２１０およびＳＴＡ  Ｂ２４０は、適宜、第２の周波数帯域および／または第２のチャネルに直接物理リンクを構築することができる。ＳＴＡ  Ａ２１０は、点線で示されているＦＳＴプロトコルを利用または実行することで、第２の周波数帯域および／または第２のチャネルにセッションを転送または移動することができるが、本発明の範囲は本実施形態に限定はされないことは理解されたい。
【００３２】
図３は、本発明の例示的な実施形態におけるＦＳＴプロトコルとともに利用される情報エレメント（ＩＥ）３００の概略図である。本発明のこの例示的な実施形態においては、ＩＥ３００は、エレメント識別（ＩＤ）フィールド３１０、長さフィールド３２０、ＦＳＴセッション（ＦＳＴＳ）ＩＤフィールド３３０、新たな帯域フィールド３４０、および古い帯域フィールド３５０を含んでよい。
【００３３】
この例示的な実施形態においては、エレメントＩＤフィールド３１０は、ＩＥ  ＩＤを示すために１つの８ビットを含んでよい。長さフィールド３２０は、ＩＥ３００の長さを示すことができる。ＦＳＴＳ  ＩＤフィールド３３０は、開始側機器により割り当てられ、例えば４つの８ビットを含んでよい、一対のＳＴＡの間に構築されるＦＳＴセッションの識別子を含んでよい。
【００３４】
新たな帯域フィールド３４０および古い帯域フィールド３５０は、本発明の実施形態におけるＦＳＴプロトコルの動作または実行の際の信号伝達に利用することができる。例えば、新たな帯域フィールド３４０および古い帯域フィールド３５０の各々が、帯域ＩＤサブフィールド、セットアップサブフィールド、および動作サブフィールドを含んでよい。帯域ＩＤサブフィールドは、周波数帯の識別子を提供してよく、セッションが動作中または実行中の、あるいはそこに転送または移動されるべき、所望の、および／または、現在の周波数帯および／またはチャネルを示すことができる。例えば、帯域ＩＤサブフィールドは、２．４ＧＨｚ（ＬＢ）については１に設定されてよく、５ＧＨｚ（ＨＢ）については２に設定されてよく、６０ＧＨｚ（ＵＢ）については３に設定されてよい。値０は留保されてよい。他の値および周波数を利用することもできる。
【００３５】
セットアップおよび動作サブフィールドは、ＦＳＴプロトコル動作に従って０または１を含んでよい。他の値が留保されてもよいが、本発明の範囲はこの点に限定はされない。
【００３６】
ＩＥ３００は、これに限定はされないがＦＳＴセットアップ要求フレーム、ＦＳＴ応答フレーム、ＦＳＴ削除フレーム、ＦＳＴ受領確認（Ａｃｋ）要求フレーム、および、ＦＳＴ受領確認応答フレームの一部であってよいが、本発明の範囲はこの点に限定されない。
【００３７】
＜ＦＳＴセットアップ要求フレーム＞
例えばＦＳＴセットアップ要求フレームは、カテゴリＦＳＴのアクションフレームである。ＦＳＴセットアップ要求フレームによって、開始ステーション（開始側機器）は他のピアステーションに対して、ソースステーションとピアステーションとの間のセッションについてＦＳＴをイネーブルする意向があるかをアナウンスすることができる。ＦＳＴセットアップ要求の例示的なフォーマットを表１に示す。
【表１】
0005234472.tif 000002
【００３８】
表１では、カテゴリフィールドはＦＳＴ用のカテゴリに設定されている。アクションフィールドは、ＦＳＴセットアップ要求の値に設定され、リンクロスタイムアウト（ＬＬＴ）フィールドは３２ビットを含んでよく、ソースＳＴＡがピアＳＴＡから最後にデータフレームを受信してからソースＳＴＡがＦＳＴを開始すると決定するまでをカウントした最大期間をマイクロ秒で示してよく、セッション遷移フィールドは、図３の情報エレメント３００に類似したセッション遷移エレメントを含んでよい。
【００３９】
マルチバンドフィールドはマルチバンドエレメントを含んでよい。マルチバンドエレメントは、このエレメントを送信するＳＴＡ（送信ＳＴＡ）が、このエレメントが送信されるものとは異なる周波数帯域で動作可能であり、この送信ＳＴＡが現在のチャネルから他の帯域のチャネルにセッションをスイッチすることができることを示してよい。マルチバンドエレメントに含まれる規制情報は、フレームに含まれる全てのフィールドおよびエレメントに適用可能である。起動スケジュールエレメントは、ステーションの起動時間および２つの連続した起動間のスリープ間隔を適宜示してよい。アウェイク・ウィンドウエレメントは、アウェイク・ウィンドウの時間を含んでよく、スイッチストリームエレメントは、送信ＳＴＡ要求が新たな処理帯域へのスイッチを要求するストリームを示すが、本発明の範囲はこの例示的な実施形態に限定はされない。
【００４０】
＜ＦＳＴセットアップ応答フレーム＞
本発明の例示的な実施形態において、ＦＳＴセットアップ応答フレームは、ＦＳＴセットアップ要求フレームを受信すると送信されてよい。表２にフレーム本体のフォーマットを示す。
【表２】
0005234472.tif 000003
【００４１】
本例においては、カテゴリフィールドはＦＳＴのカテゴリに設定されている。アクションフィールドは、ＦＳＴセットアップ応答の値に設定されてよく、セッション遷移フィールドは、一対のステーション間に構築されたＦＳＴセッションの識別子を含みうるセッション遷移エレメント、遷移したセッションの周波数帯域および／またはチャネルを適宜含んでよい。マルチバンドエレメント、起動スケジュールエレメント、アウェイク・ウィンドウエレメント、およびスイッチストリームエレメントは、ＦＳＴセットアップ要求フレームに含まれるものと同じである。
【００４２】
＜ＦＳＴ削除フレーム＞
ＦＳＴ削除フレームは、ステーション間で構築されているＦＳＴセッションを削除するために送信される。表３にフレーム本体のフォーマットを示す。
【表３】
0005234472.tif 000004
【００４３】
本例においては、カテゴリフィールドはＦＳＴのカテゴリに設定されており、アクションフィールドはＦＳＴ削除のための値に設定されており、ＦＳＴセッション（ＦＳＴＳ）ＩＤフィールドは、ステーション間に構築されているＦＳＴセッションの識別子を含む。
【００４４】
＜ＦＳＴ受領確認要求フレーム＞
ＦＳＴ受領確認要求フレームは、ＦＳＴセッションの転送先の周波数帯域で送信され、ＦＳＴセッション転送を確認する。フレーム本体のフォーマットを表４に示す。
【表４】
0005234472.tif 000005
【００４５】
本例では、カテゴリフィールドはＦＳＴのカテゴリに設定されており、アクションフィールドはＦＳＴ受領確認要求のための値に設定されており、ダイアログトークンフィールドは、ＦＳＴ受領確認要求を送信するＳＴＡが、要求／報告処理を特定するために選択する、ゼロではない値に設定されていてよく、ＦＳＴＳ  ＩＤフィールドは、ステーション間に構築されているＦＳＴセッションの識別子を適宜含む。
【００４６】
＜ＦＳＴ受領確認応答フレーム＞
ＦＳＴ受領確認応答フレームは、ＦＳＴ受領確認要求フレームを受信すると送信される。フレーム本体のフォーマットを表５に示す。
【表５】
0005234472.tif 000006
【００４７】
本例では、カテゴリフィールドはＦＳＴのカテゴリに設定されており、アクションフィールドはＦＳＴ受領確認応答のための値に設定されており、ダイアログトークンフィールドは、任意の対応するＦＳＴ受領確認要求フレームの値に設定されていてよい。例えば、ＦＳＴ受領確認応答フレームがＦＳＴ受領確認要求フレームを受けても送信されていない場合には、ダイアログトークンをゼロに設定してよい。ＦＳＴＳ  ＩＤフィールドは、ステーション間に構築されているＦＳＴセッションの識別子を含むが、本発明の範囲は本例に限定はされない。
【００４８】
図４は、本発明の例示的な実施形態におけるＦＳＴプロトコル４００の状態ダイアグラムの概略である。本発明の範囲はこの点に限定はされないが、同じ、および／または、異なる周波数帯域で、ＳＴＡに例えば１以上の数のチャネルでセットアップおよび動作を行わせる詳細なＦＳＴセットアッププロトコル、ＦＳＴプロトコルステートマシン、および、状態間の遷移規則を、状態ダイアグラム４００を参照して以下に説明する。
【００４９】
本発明の一実施形態では、プロトコルが同時および同時ではない処理をサポートする。ＦＳＴセットアッププロトコルは、ＦＳＴが任意の周波数帯域でセットアップされることで、任意の他の周波数帯域へのセッション転送を可能とするスケーラブルなプロトコルである。例えば２．４ＧＨｚ、５ＧＨｚ、および６０ＧＨｚ周波数帯域で動作しうるＳＴＡ１００等のマルチバンドＳＴＡは、２．４ＧＨｚ周波数帯域でＦＳＴをセットアップすることができ、６０ＧＨｚ周波数帯域から５ＧＨｚ周波数帯域へのセッション転送を行うことができるが、本発明の範囲はこの点に限定はされない。
【００５０】
＜ＦＳＴセットアッププロトコル＞
本発明の実施形態においては、ＦＳＴセットアッププロトコルは、銘々の現在の周波数帯域および／またはチャネルから別の周波数帯域および／またはチャネルへの、開始側機器と応答側機器との間のＦＳＴセッションの転送を定義することができる。本発明のこの例示的な実施形態においては、ＦＳＴセットアッププロトコルは、４つの状態と複数の規則とを含むことで、ある状態から次の状態への移動または遷移を行うことができるようになる。
【００５１】
第１の状態は初期状態４１０であってよい。この状態においては、ＦＳＴセッションは１以上の周波数帯域および／またはチャネルで動作可能である。第２の状態は、セットアップ完了状態４２０である。この状態においては、ＦＳＴセッション（１または複数）が現在動作中である場合、開始側機器および応答側機器の両方において、周波数帯域およびチャネルを変更する準備が整っている。第３の状態は、遷移完了状態４３０である。この状態においては、ＦＳＴセッションのセットアップに利用されるＦＳＴセットアップ要求フレーム内のＬＬＴフィールドの値がゼロである場合に、開始側機器および応答側機器が両方とも他の周波数帯域および／またはチャネルで動作することができる。第４の状態は、遷移確認済み状態４４０である。この状態では、遷移が確認された状態にするために、開始側機器および応答側機器が両方とも、新たな周波数帯域および／またはチャネルにおける通信に成功している必要がある。
【００５２】
動作においては、初期状態４１０からセットアップ完了状態４２０へＦＳＴセッションを移すために、（例えばＳＴＡ２１０）および応答側機器（例えばＳＴＡ２４０）は、適宜、ＦＳＴセットアップ要求フレームおよびＦＳＴセットアップ応答フレームを交換してよい。図３に示す情報エレメントは、ＦＳＴセットアップ応答フレームおよびセットアップ要求フレームに適宜含まれてよい。
【００５３】
１つの例示的な実施形態では、初期状態４１０およびセットアップ完了状態４２０において、ＦＳＴセットアップ要求フレームおよびＦＳＴセットアップ応答フレームの古い周波数帯および古いチャネルとは、ＦＳＴセッションが転送される前の転送元の周波数帯域およびチャネルのことであってよく、新たな周波数帯域および新たなチャネルとは、ＦＳＴセッションが転送される転送先のもののことであってよい。
【００５４】
遷移完了状態４３０では、ＦＳＴセットアップ要求フレームおよび応答フレームにおける新たな周波数帯域および新たなチャネルとは、転送先の状態の周波数帯域／チャネルを表していてよい。さらにＦＳＴ受領確認要求フレームおよびＦＳＴ受領確認応答フレームにおける古い周波数帯域／チャネルとは、ＦＳＴセッションの転送元の周波数帯域／チャネルを表していてよいが、本発明の範囲はこの例に限定はされない。
【００５５】
ＦＳＴセットアップの説明を続けると、応答側機器（例えばＳＴＡ２４０）は、ＦＳＴセットアップ要求を受諾する場合にはＦＳＴセットアップ応答フレームのステータスコードフィールドを例えば０（成功）に設定し、ＦＳＴセットアップ要求の１以上のパラメータが無効であり、他のパラメータを提示するような場合にはＦＳＴセットアップ応答フレームのステータスコードを例えば３９（提案を含む拒否）に設定し、ＦＳＴセットアップ要求が未完了であることを示すためにはＦＳＴセットアップ応答フレームのステータスコードを例えば５５（未完了）に設定し、ＦＳＴセットアップ要求を拒否するためには、ＦＳＴセットアップ応答フレームのステータスコードフィールドを例えば３７（拒否）に設定する、といったことが可能であるが、本発明の範囲はこの例に限定はされない。
【００５６】
本発明の１つの例示的な実施形態においては、必要に応じてＦＳＴセットアッププロトコル内の状態遷移を状態遷移タイマ（ＳＴＴ）により制御してもよい。例えば、各マルチバンドＳＴＡは、各ＦＳＴセッションについてＳＴＴを維持することができる。マルチバンドステーションは、ＳＴＴが１から０に移るときには、または、ＦＳＴ削除フレームの受信および／または送信においては、必要に応じて初期状態４１０に移動または遷移することができる。
【００５７】
開始側機器は、ＦＳＴセットアップ要求（例えば要求フレーム）の送信に成功すると、および、例えば５５に等しいステータスコードフィールドを有するＦＳＴセットアップ応答（例えば応答フレーム）を受信して各ＡＣＫフレームを送信すると、ＳＴＴをＦＳＴセッションのタイムアウトの値に設定してよい。開始側機器は、例えば０に等しい値のステータスコードフィールドを有するＦＳＴセットアップ応答フレームを受信してＡＣＫフレームを送信することで、ＳＴＴをゼロに設定してよい。開始側機器は、必要に応じて、例えば０に等しいステータスコードフィールドを有するＦＳＴセットアップ応答を受信してＦＳＴ受領確認応答フレームを送信した後、例えばＦＳＴセッションタイムアウト値よりも前に、ＦＳＴセットアップ要求フレームを送信してよい。
【００５８】
応答側機器は、ＦＳＴセットアップ応答フレームの送信に成功すると、ＳＴＴを、ＦＳＴセッションタイムアウトフィールドの値に設定してよい。応答側機器は、ＦＳＴセットアップ要求を受信して各ＡＣＫフレームを送信するたびに、ＳＴＴをゼロに設定してよい。例えば、応答側機器は、ＦＳＴセットアップ要求フレームを受信してＡＣＫフレームを送信した後であってＦＳＴセッションタイムアウト値よりも前に、または、例えば５５に等しいステータスコードフィールドを有するＦＳＴセットアップ応答フレームの送信に成功すると、ＦＳＴセットアップ応答フレームを送信してよい。後者の場合には、応答側機器は開始側機器に対して、要求されていないＦＳＴセットアップ応答フレームを送信することもできるが、本発明の範囲はこの例に限定はされない。
【００５９】
本発明の一部の例示的な実施形態においては、開始側機器と応答側機器との間にＦＳＴセッションが構築されるまで、開始側機器と応答側機器とがそれぞれ複数のＦＳＴセットアップ要求フレームおよびＦＳＴセットアップ応答フレームを送信することとなろう。
【００６０】
例えば、初期状態４１０からセットアップ完了状態４２０への各遷移において、開始側機器および応答側機器は、以下のプロシージャを行うことができる。（１）開始側機器が応答側機器にＦＳＴセットアップ要求フレームを送る。（２）ＦＳＴセットアップ要求フレームを受信すると、応答側機器は、開始側機器に提示した未完了のＦＳＴセットアップ要求フレームが存在しており、応答側機器が、開始側機器のＭＡＣアドレスよりも数値的に大きなＭＡＣアドレスを有している例外を除いて、ＦＳＴセットアップ応答フレームで応答してよく、例外に当てはまる場合には、応答者は受信したＦＳＴセットアップ要求（例えばフレーム）を削除することができる。（３）開始側機器のＦＳＴセットアップ要求フレームに対する受領確認を受信した後に開始側機器が応答側機器からＦＳＴセットアップ要求フレームを受信した場合には、開始側機器は、自身のＭＡＣアドレスが応答側機器のＭＡＣアドレスより数値的に大きい場合には、ＦＳＴセットアップ応答フレームで応答しなくてよい。反対に自身のＭＡＣアドレスが応答側機器のＭＡＣアドレスより数値的に小さい場合には、この開始側機器が応答側機器となり、ＦＳＴセットアップ応答フレームで応答して、現在のＦＳＴセッション遷移中にはＦＳＴセットアップ要求フレームを送信しない。（４）開始側機器は、以下の条件のうち少なくとも１つが満たされる場合には次の状態に移動または遷移しない。条件とはすなわち、（ａ）開始側機器は、応答側機器からのＦＳＴセットアップ応答フレームを受信してもＡＣＫフレームを送信しなくてよい、（ｂ）応答側機器から受信したＦＳＴ応答フレームのステータスコードフィールドの値が０以外である（０以外の値を利用してもよい）場合、（ｃ）表６に示す状態特定の例外が生じた場合、である。（５）開始側機器は、条件（４）（ａ）、（４）（ｂ）、および（４）（ｃ）のいずれも満たさない場合には、次の状態に移動または遷移してよい。（６）応答側機器は、以下の条件のうち少なくとも１つが満たされる場合には次の状態に移動または遷移しない。条件とはすなわち、（ａ）応答側機器が、自身が送信したＦＳＴセットアップ応答フレームに対する受領確認を受信していない場合、（ｂ）ＦＳＴセットアップ応答フレームのステータスコードフィールドの値が０以外である（０以外の値を利用してもよい）場合、（ｃ）送信したＦＳＴセットアップ応答フレームのセッション遷移エレメント中のセットアップサブフィールドおよび動作サブフィールドの値が、表６のいずれの行とも異なるステータスになった場合（この場合には、応答側機器は、必要に応じて、送信したＦＳＴセットアップ応答のステータスコードフィールドを３に設定することができる）、（ｄ）新たな帯域フィールドの動作サブフィールドのステータスが０となった（０以外の値を利用してもよい）場合、である。（７）応答側機器は、条件（６）（ａ）、（６）（ｂ）、（６）（ｃ）、および（６）（ｄ）のいずれも満たさない場合には、次の状態に移動または遷移してよい。
【表６】
0005234472.tif 000007
【００６１】
本発明の例示的な実施形態においては、セットアップ完了状態４２０へ遷移した場合に、受信した最後のＦＳＴセットアップ要求フレーム内のＬＬＴフィールドの値がゼロであった場合には、開始側機器および応答側機器が、即座に遷移完了状態に移動または遷移してよい。
【００６２】
さらに、セットアップ完了状態４２０へ遷移した場合に、最後に受信したＦＳＴセットアップ要求フレーム内のＬＬＴフィールドの値がゼロより大きい場合には、開始側機器および応答側機器の両方がセットアップ完了状態４２０に残り、または留まり、初期値ＬＬＴ＊３２μｓｅｃでリンクロスカウントダウンタイマ（ＬＬＣＴ）（例えばＬＬＣＴ１４７）を開始してよい。ＬＬＣＴは、１ビット／μｓｅｃずつカウントしてよい。例えば各ＳＴＡのリンクロスカウントダウンは、ＦＳＴセッションのピアＳＴＡからユニキャストフレームが受信されるたびに、例えばＬＬＴ＊３２といった値をリロードされてよい。セットアップ完了状態４２０から遷移完了状態４３０へのＦＳＴ遷移は、ＦＳＴセッションの開始側機器または応答側機器のいずれかにおけるＬＬＣＴが１から０に遷移した直後に行われてよい。
【００６３】
表７は、本発明の実施形態における、各状態遷移におけるＦＳＴセッションステータスを示す。ＦＳＴセットアップ要求のサブフィールドの値が、以下のＦＳＴセットアップ応答フレームの同じサブフィールドの値と異なっている場合には、その結果生じるステータスは、ＦＳＴセットアップ要求およびＦＳＴセットアップ応答両方においてそれぞれ対応するサブフィールドの値の論理積であってよい。
【表７】
0005234472.tif 000008
【００６４】
遷移完了状態４３０から遷移確認済み状態４４０への遷移にあたって、開始側機器および応答側機器は、ＦＳＴセッションセットアップ中に交渉されたマルチバンドエレメントで特定されている規制クラスのチャネル数および帯域ＩＤ内で以下のプロシージャを行うことができる。（１）状態遷移タイマ（ＳＴＴ）（例えばＳＴＴ１４５）により状態遷移が制御される。ＦＳＴセッションの各ＳＴＡは、自身のＳＴＴを有していてよい。開始側機器および応答側機器は、ＳＴＴが自身の値を１から０に変更すると初期状態に移動する、または遷移してよい。開始側機器は、ＦＳＴ受領確認要求フレームの送信に成功すると、または、任意のユニキャストデータユニットを応答側機器に送信すると、ＳＴＴをＦＳＴセッションタイムアウトの値に設定してよい。開始側機器は、応答側機器からのＦＳＴ受領確認応答に対してＡＣＫを送信すると、または、応答側機器に送ったフレームに対するＡＣＫフレームを受信すると、ＳＴＴをゼロに設定することができる。応答側機器は、ＦＳＴ受領確認応答フレームを送信すると、または、開始側機器に他の任意のユニキャストデータユニットを送信すると、ＳＴＴをＦＳＴセッションタイムアウトの値に設定してよい。応答側機器は、送信したＦＳＴ受領確認応答フレームに対するＡＣＫフレームを受信すると、または開始側機器から送られたユニキャストフレームを受信すると、ＳＴＴ値をゼロに設定してよい。応答側機器は、開始側機器から受信したＦＳＴ受領確認要求に対してＡＣＫフレームを送信した後、ＦＳＴセッションタイムアウト値が経つまでに、開始側機器に対してＦＳＴ受領確認応答フレームを送信してよい。（２）開始側機器は応答側機器に対して、ＦＳＴ受領確認要求フレームを送信してよい、または、任意の他のユニキャストデータフレームを送信してよい。（３）ＦＳＴ受領確認要求フレームを受信すると、応答側機器は開始側機器に対してＦＳＴ受領確認応答フレームを送ることで応答することができる。（４）開始側機器は、応答側機器からのＦＳＴ受領確認応答フレームまたは任意の他のユニキャストフレームに対してＡＣＫフレームを送信すると、または、開始側機器が応答側機器に対して送ったＦＳＴ受領確認要求フレームではないフレームに対して応答側機器からＡＣＫフレームを受信すると、遷移確認済み状態へ移動または遷移することができる。（５）応答側機器は、開始側機器に送ったＦＳＴ受領確認応答フレームまたは任意の他のユニキャストフレームに対するＡＣＫフレームを受信すると、または、ＦＳＴ受領確認要求ユニキャストフレームではないフレームに対するＡＣＫフレームを送信すると、遷移確認済み状態に移動または遷移することができる。
【００６５】
本発明の実施形態は、プロセッサまたはコントローラにより実行されるとここで開示する方法を実行する命令を符号化する、含む、または格納する、メモリ、ディスクドライブ、またはＵＳＢフラッシュメモリ等の、コンピュータまたはプロセッサにより可読である媒体、またはコンピュータまたはプロセッサ格納媒体等の物品を含んでよい。
【００６６】
本発明の実行を特定の実施形態のコンテキストで記載してきた。これら実施形態は例示であり限定は意図していない。多くの変形例、変更例、追加、および改善が可能である。従って、複数のインスタンスをここでは単一のインスタンスとして記載している場合がある。また、様々なコンポーネント、処理、およびデータ格納装置の間の境界は比較的自由に決定されており、特定の処理が、特定の例における構成のコンテキストにおいて示されている。機能に関する他の分配方法も、以下の請求項の範囲に含まれることが意図されている。最後に、様々な構成における離散したコンポーネントとして提示されている構造および機能は、構造またはコンポーネントの組み合わせとして実行することもできる。これらの、またはその他の変形例、変更例、追加、および改善は、以下の請求項が定義する本発明の範囲に含まれることを意図している。
【図１】
0005234472.tif 000009
【図２】
0005234472.tif 000010
【図３】
0005234472.tif 000011
【図４】
0005234472.tif 000012